(57)【要約】【課題】ボイスコイルモータ（ＶＣＭ）８とトップカバー１の間にＶＣＭダンパー９を配置されるトップカバー１において、その制振機能を向上させることができ、もってＶＣＭ８の作動時に発生する振動、特に音振動を小さく抑えることが可能なトップカバー１を提供する。【解決手段】ＶＣＭ８との間にＶＣＭダンパー９を配置されるトップカバー１において、トップカバー１におけるＶＣＭダンパー９外方部位にプレート状制振部材１１を配置し、この制振部材１１を弾性体１２を介してトップカバー１に連結する構成とした。トップカバー１に対する制振部材１１の取付構造としては例えば、トップカバー１のＶＣＭダンパー９外方部位に開口部１０を設け、開口部１０を平面上塞ぐように制振部材１１を配置し、制振部材１１を開口部１０の周りで弾性体１２を介してトップカバー１に連結する。【選択図】  図２
2004178677.tif 000002
【特許請求の範囲】
【請求項１】
ＶＣＭ（８）との間にＶＣＭダンパー（９）を配置されるトップカバー（１）において、
当該トップカバー（１）におけるＶＣＭダンパー（９）外方部位にプレート状制振部材（１１）を配置し、前記プレート状制振部材（１１）を弾性体（１２）を介して当該トップカバー（１）に連結したことを特徴とするトップカバー。
【請求項２】
請求項１のトップカバーにおいて、
当該トップカバー（１）におけるＶＣＭダンパー（９）外方部位に開口部（１０）を設け、前記開口部（１０）を平面上塞ぐようにプレート状制振部材（１１）を配置し、前記プレート状制振部材（１１）を前記開口部（１０）の周りで弾性体（１２）を介して当該トップカバー（１）に連結したことを特徴とするトップカバー。
【請求項３】
請求項１のトップカバーにおいて、
当該トップカバー（１）におけるＶＣＭダンパー（９）外方部位の外面側にプレート状制振部材（１１）を配置し、前記プレート状制振部材（１１）を弾性体（１２）を介して当該トップカバー（１）に連結したことを特徴とするトップカバー。
【発明の詳細な説明】
【０００１】
【発明の属する技術分野】
本発明は、ハードディスクドライブに代表されるディスクドライブ装置等に用いられるトップカバーに関するものである。また本発明のトップカバーは、磁気記憶装置のトップカバー、電機・電子機器筐体のトップカバー等として用いられるものである。
【０００２】
【従来の技術】
例えば、コンピュータのデータ記憶手段として広く一般に用いられるハードディスクドライブ（ＨＤＤ）は、記録媒体である磁気ディスクをスピンドルモータで駆動し、磁気ディスクへのデータの書込みや呼出しを磁気ヘッドで行ない、磁気ヘッドをボイスコイルモータ（ＶＣＭ）で駆動する構造を有し、更にこれらの構成部品をベースプレートおよびトップカバーの組み合わせよりなる筐体内に収容する構造を有している。
【０００３】
また、ＶＣＭの作動時、トップカバーから発生する音や振動を低減させることを目的として、図１１に示すように、ＶＣＭ５１とトップカバー５２との間に弾性体で形成されたＶＣＭダンパー５３を設置したものも開発されているが、このＶＣＭダンパー５３にはＶＣＭ５１の振動を抑制するのとは裏腹に、ＶＣＭ５１からの振動を当該ダンパー５３を通じてトップカバー５２に広範囲に伝播させてしまう作用があり、振動、特に音振動（騒音）を拡散させる結果となっている。
【０００４】
また、従来、ダンパーを有するディスクドライブ装置として特開２００２−１２４０７２号公報に掲載されたものが知られているが、この公報に記載されたダンパーはＶＣＭやＶＣＭダンパーとは関係なくベースプレートの裏面側に設けられるものであり、また本発明の必須構成部品である弾性体（粘弾性体）を有しないものである。
【０００５】
【特許文献１】
特開２００２−１２４０７２号公報
【０００６】
【発明が解決しようとする課題】
本発明は以上の点に鑑みて、ＶＣＭとトップカバーとの間にＶＣＭダンパーを配置されるトップカバーにおいて、その制振機能を向上させることができ、もってＶＣＭ作動時に発生する振動、特に音振動を小さく抑えることが可能なトップカバーを提供することを目的とする。
【０００７】
【課題を解決するための手段】
上記目的を達成するため、本発明の請求項１によるトップカバーは、ＶＣＭとの間にＶＣＭダンパーを配置されるトップカバーにおいて、当該トップカバーにおけるＶＣＭダンパー外方部位にプレート状制振部材を配置し、前記プレート状制振部材を弾性体を介して当該トップカバーに連結したことを特徴とするものである。
【０００８】
また、本発明の請求項２によるトップカバーは、上記した請求項１のトップカバーにおいて、当該トップカバーにおけるＶＣＭダンパー外方部位に開口部を設け、前記開口部を平面上塞ぐようにプレート状制振部材を配置し、前記プレート状制振部材を前記開口部の周りで弾性体を介して当該トップカバーに連結したことを特徴とするものである。
【０００９】
また、本発明の請求項３によるトップカバーは、上記した請求項１のトップカバーにおいて、当該トップカバーにおけるＶＣＭダンパー外方部位の外面側にプレート状制振部材を配置し、前記プレート状制振部材を弾性体を介して当該トップカバーに連結したことを特徴とするものである。
【００１０】
上記構成を備えた本発明の請求項１によるトップカバーのように、トップカバーにおけるＶＣＭダンパー外方部位にプレート状制振部材を配置するとともにこのプレート状制振部材を弾性体を介してトップカバーに連結すると、このプレート状制振部材および弾性体が発揮する制振作用によって、ＶＣＭダンパーを通じて伝播するＶＣＭからの振動を低減させることが可能となる。この制振作用は「ダイナミックダンパーによる制振作用」であり、すなわち上記構成によってプレート状制振部材を質量体とするとともに弾性体をバネとするダイナミックダンパーが形成されるため、このダイナミックダンパーを振動に対して共振させることにより振動エネルギーを吸収することが可能となる。また、弾性体が振動を受けてせん断変形する場合には、この「せん断変形による制振作用」によっても振動エネルギーを吸収することが可能となる。制振部材をプレート状としたのはトップカバーの厚みを極力増大させないためである。
【００１１】
トップカバーにプレート状制振部材を取り付ける構造としては、先ず請求項２に記載したように、トップカバーにおけるＶＣＭダンパー外方部位に開口部を設け、この開口部を平面上塞ぐようにプレート状制振部材を配置し、このプレート状制振部材を開口部の周りで弾性体を介してトップカバーに連結する構造が考えられ、この場合には、上記「ダイナミックダンパーによる制振作用」および「せん断変形による制振作用」の他に、トップカバーの平面上の一部をプレート状制振部材として実質別体にしたことに伴う「別体にしたことによる振動絶縁作用」を期待することができる。
【００１２】
また、請求項３に記載したように、トップカバーにおけるＶＣＭダンパー外方部位の外面側にプレート状制振部材を配置し、このプレート状制振部材を弾性体を介してトップカバーに連結することが考えられ、この場合には、上記「ダイナミックダンパーによる制振効果」等の他に、弾性体がトップカバーの外面側に配置されてトップカバーにより筐体内部空間と隔離されるので、弾性体アウトガスの問題（弾性体から発生するガスが筐体内装部品に良くない影響を及ぼして誤作動させること）を生じることがなく、弾性体材料の選択幅を拡げることが可能となる。
【００１３】
尚、本件出願には、以下の技術的事項が含まれる。
【００１４】
すなわち、上記目的を達成するため、本件出願が提案する一のトップカバーは以下の内容を備えている。
【００１５】
（１−１）  起振源であるＶＣＭ部にＶＣＭダンパーを有し、その近傍に制音制振を目的とした別体構造の部品を粘弾性体を介して設置したもの。
（１−２）  カバーのＶＣＭ部付近を局部的に別体構造とし、カバー本体とのラップ部に粘弾性体を用い一体化し、共振周波数を低く設定することで、ＶＣＭダンパーを通じて伝播するＶＣＭからの振動を絶縁する構造とする。
（１−３）  ＶＣＭダンパーから伝播するＶＣＭの音振動を低減すべく、カバーのＶＣＭ上の一部分を別体構造とし粘弾性体のせん断変形により振動を減衰させ、また周囲に拡散しようとする振動を絶縁する。
【００１６】
（２−１）  起振源であるＶＣＭ部にＶＣＭダンパーを有し、その上部に粘弾性体を介してプレートを設置し、固有振動数を低下させ、ＶＣＭからの振動を絶縁させたもの。
（２−２）  ＶＣＭ上部に粘弾性体を介しプレート（金属製プレート）を密着させることにより共振周波数を低く設定することで、ＶＣＭダンパーを通じて伝播するＶＣＭからの振動を絶縁する構造とする。
（２−３）  ＶＣＭダンパーから伝播するＶＣＭの音振動を低減すべく、カバー上のＶＣＭ相当部に粘弾性体を介してプレート（金属製プレート）を装着し、ＶＣＭからの振動周波数を低周波域にずらし、この部分の振動を防止する。
【００１７】
上記（１−１）ないし（２−３）により、カバーを、より有効な制振効果をもたせた構造とすることができ、発生音を最小限に抑えることが可能となる。
【００１８】
【発明の実施の形態】
つぎに本発明の実施例を図面にしたがって説明する。
【００１９】
第一実施例・・・
図１は、本発明の第一実施例に係るトップカバー１の平面図を示しており、そのＡ−Ａ線拡大断面が図２に示されている。
【００２０】
当該実施例に係るトップカバー１は、ＨＤＤ用トップカバーとして、図３に示すベースプレート２の上面開口部に被せられて、このベースプレート２とともにＨＤＤ用の筐体をなすものである。このトップカバー１は、ステンレスまたはアルミニウム等よりなる金属プレートをプレス加工することによって形成されており、その平面上に凹凸加工３や組立ネジの差込み孔４等が設けられている。図３のベースプレート２には、スピンドルモータの駆動により高速回転する磁気ディスク５、磁気ディスク５へのデータの書込みや呼出しを行なう磁気ヘッド７を備えたアーム６、およびアーム６を揺動させるＶＣＭ８等が収容されている。
【００２１】
上記したようにＶＣＭ８の作動時、トップカバー１から発生する音や振動を低減させるべく、図２に示すようにＶＣＭ８とトップカバー１の間には、弾性体で形成されたＶＣＭダンパー９が設置されているが、このＶＣＭダンパー９はＶＣＭ８からの振動をトップカバー１に広範囲に伝播させてしまうので、これに対して当該トップカバー１には以下のような制振構造が設けられている。
【００２２】
すなわち、当該トップカバー１におけるＶＣＭダンパー９の外方部位（図２における上方部位）に開口部１０が設けられており、この開口部１０を平面上塞ぐようにプレート状制振部材１１が配置されており、このプレート状制振部材１１が開口部１０の周りで弾性体１２を介してトップカバー１に連結されている。
【００２３】
上記開口部１０は、その平面形状（開口形状）を長円形に形成されており、その平面領域（開口領域）内にＶＣＭダンパー９を収めることができる大きさに形成されている。但し、この開口部１０の平面形状は長円形に限定されるものではなく、その平面内にＶＣＭダンパー９を収めることができるものであれば良い。
【００２４】
プレート状制振部材１１は、ステンレスまたはアルミニウム等よりなる金属製プレートによって平板状に形成されており、その平面形状を開口部１０よりも一回り大きな長円形に形成されている。但し、このプレート状制振部材１１の平面形状は長円形に限定されるものではなく、開口部１０を平面上塞ぐことができるものであれば良い。
【００２５】
また、このプレート状制振部材１１は、その周縁部を開口部１０の周縁部１０ａの外方（図２における上方）に重ねてオーバーラップ部１１ａとしており、このオーバーラップ部１１ａと開口部１０の周縁部１０ａとの間に弾性体１２が配置されている。
【００２６】
弾性体１２の材質は、フッ素ゴム、ニトリルブタジエンゴム、アクリルゴム、スチレンブタジエンゴム、ブタジエンゴム、イソプレンゴム、クロロプレンゴム、シリコーンゴム、ウレタンゴム、天然ゴム、エチレンプロピレンゴムなどや、スチレン系熱可塑性エラストマー、ウレタン系熱可塑性エラストマー、ポリエステル系熱可塑性エラストマー、オレフィン系熱可塑性エラストマー、ポリアミド系熱可塑性エラストマーなどであり、これらの混合物であっても良い。これらによって弾性体１２はエンドレス状に形成されており、開口部１０の周りに全周に亙って配置されており、全周に亙ってトップカバー１およびプレート状制振部材１１に対して接着されている。
【００２７】
上記構成要素のうち、ＶＣＭ８とＶＣＭダンパー９、ＶＣＭダンパー９と制振部材１１、制振部材１１と弾性体１２、弾性体１２とトップカバー１はそれぞれ接着されまたは非接着で接触しているが、ＶＣＭ８と制振部材１１、ＶＣＭ８と弾性体１２、ＶＣＭ８とトップカバー１、ＶＣＭダンパー９と弾性体１２、ＶＣＭダンパー９とトップカバー１、制振部材１１とトップカバー１はそれぞれ接触しておらず、互いに非接触とされている。
【００２８】
上記構成のトップカバー１においては、ＶＣＭダンパー９の外側に配置されてこのＶＣＭダンパー９に接触するプレート状制振部材１１が弾性体１２を介してトップカバー１に連結されているために、このプレート状制振部材１１を質量体とするとともに弾性体１２をバネとするダイナミックダンパー１３が形成されている。したがって、このダイナミックダンパー１３の共振周波数を予め、ＶＣＭ８に発生しＶＣＭダンパー９を介して伝播されてくる振動の周波数と合致させることにより、このダイナミックダンパー１３の共振作動による制振作用によって振動を有効に低減させることができ、よってＶＣＭ８の作動時に発生する振動や音振動を小さく抑えることができる。
【００２９】
また、上記したようにＶＣＭダンパー９がトップカバー１に直接接触することなくプレート状制振部材１１に接触する構成とされているために、ＶＣＭ８の作動時に発生する振動がＶＣＭ８からＶＣＭダンパー９を介してトップカバー１へと直接伝えられず、ＶＣＭ８からＶＣＭダンパー９、制振部材１１および弾性体１２を介してこの順にトップカバー１へと伝えられることになり、この経路の途中に弾性体１２が設けられているために、この弾性体１２のせん断変形による制振作用か発揮される。これは弾性体１２がせん断変形すると振動エネルギーを吸収するために、これにより振動を低減させるものである。したがって、ＶＣＭ８から伝播される振動を有効に低減させることができ、よってＶＣＭ８作動時に発生する振動や音振動を小さく抑えることができる。
【００３０】
また、トップカバー１の平面上の一部をプレート状制振部材１１として実質別体にしたことに伴う振動絶縁作用が発揮されるために、この点からもＶＣＭ８から伝播される振動を有効に低減させることができ、よってＶＣＭ８作動時に発生する振動や音振動を小さく抑えることができる。
【００３１】
更にまた、トップカバー１に設けた開口部１０をプレート状制振部材１１および弾性体１２によって完全に閉塞する構造であるために、外部の塵埃等の異物が開口部１０を通ってカバー１内部へ侵入することがない。
【００３２】
第二実施例・・・
尚、上記第一実施例において、プレート状制振部材１１の平面形状を開口部１０の平面形状よりも一回り大きく形成してその周縁部に、開口部１０の周縁部１０ａの外方に重ねられるオーバーラップ部１１ａを設けたのは、弾性体１２をその作動時に圧縮変形だけではなく、せん断変形させることにより、より多くの振動エネルギーを吸収するためである。したがって、本発明の第二実施例として図４および図５に示すように、プレート状制振部材１１はこれをトップカバー１の内方（図５における下方であってＨＤＤ筐体の内側）に配置するようにしても良い。この第二実施例におけるその他の構成および作用効果は、上記第一実施例と同じである。
【００３３】
第三実施例・・・
また、トップカバー１とＶＣＭ８とをネジを用いて固定する場合があるが、このネジ固定式のトップカバーに本発明の請求項２に係る構造ないし上記第一、第二実施例に係る構造を適用する場合には、本発明の第三実施例として図６および図７に示すように、プレート状制振部材１１にネジ挿通孔１４を所要数（図では二箇所）設け、各ネジ挿通孔１４にネジ１５を差し込んでこれをＶＣＭ８に螺合する。ネジ挿通孔１４はそれぞれ、プレート状制振部材１１の平面上にネジ１５の頭部１５ａを収容する大きさの凹部１６を設けることによりその底部に形成されており、かつネジ挿通孔１４の大きさはネジ１５の雄ねじ部１５ｂよりも大きく頭部１５ａよりも小さく形成されている。この場合、ＶＣＭ８からカバー１への振動伝達がＶＣＭダンパー９だけでなくネジ１５を通しても伝わるため、振動・騒音が特に大きくなり、よって本発明の請求項２に係る構造ないし上記第一、第二実施例に係る構造を用いることによる効果も大きい。この第三実施例におけるその他の構成および作用効果は、上記第一実施例と同じである。
【００３４】
第四実施例・・・
図８は、本発明の第四実施例に係るトップカバー１の平面図を示しており、そのＤ−Ｄ線拡大断面が図９に示されている。
【００３５】
当該実施例に係るトップカバー１は、ＨＤＤ用トップカバーとして、上記図３に示したベースプレート２の上面開口部に被せられて、このベースプレート２とともにＨＤＤ用の筐体をなすものである。このトップカバー１は、ステンレスまたはアルミニウム等よりなる金属プレートをプレス加工することによって形成されており、その平面上に適宜、凹凸加工３や組立ネジの差込み孔４等が設けられている。
【００３６】
当該トップカバー１には、以下のような制振構造が設けられている。
【００３７】
すなわち、当該トップカバー１におけるＶＣＭダンパー９の外方部位（図９における上方部位）の外面側にプレート状制振部材１１が配置されており、このプレート状制振部材１１が弾性体１２を介してトップカバー１に連結されている。
【００３８】
プレート状制振部材１１は、ステンレスまたはアルミニウム等よりなる金属製プレートによって平板状に形成されており、その平面形状を長円形に形成されており、その平面領域内にＶＣＭダンパー９を収めることができる大きさに形成されている。但し、このプレート状制振部材１１の平面形状は長円形に限定されるものではない。
【００３９】
弾性体１２の材質は、フッ素ゴム、ニトリルブタジエンゴム、アクリルゴム、スチレンブタジエンゴム、ブタジエンゴム、イソプレンゴム、クロロプレンゴム、シリコーンゴム、ウレタンゴム、天然ゴム、エチレンプロピレンゴムなどや、スチレン系熱可塑性エラストマー、ウレタン系熱可塑性エラストマー、ポリエステル系熱可塑性エラストマー、オレフィン系熱可塑性エラストマー、ポリアミド系熱可塑性エラストマーなどであり、これらの混合物であっても良い。これらによって弾性体１２はプレート状制振部材１１と同じもしくは略同じ平面形状またはエンドレス形状に形成されており、その全面に亙ってトップカバー１およびプレート状制振部材１１に対して接着されている。
【００４０】
上記構成要素のうち、ＶＣＭ８とＶＣＭダンパー９、ＶＣＭダンパー９とトップカバー１、トップカバー１と弾性体１２、弾性体１２と制振部材１１はそれぞれ接着されまたは接触しているが、トップカバー１と制振部材１１は接触しておらず、互いに非接触とされている。また、当該トップカバー１に開口部は設けられていない。
【００４１】
上記構成のトップカバー１においては、上記したようにＶＣＭダンパー９の外方部位において、トップカバー１の外面に弾性体１２が連結されるとともに弾性体１２にプレート状制振部材１１が連結されているために、このプレート状制振部材１１を質量体とするとともに弾性体１２をバネとするダイナミックダンパー１３が形成されている。したがって、このダイナミックダンパー１３の共振周波数を予め、ＶＣＭ８に発生しＶＣＭダンパー９を介して伝播されてくる振動の周波数と合致させることにより、このダイナミックダンパー１３の共振作動による制振作用によって振動を有効に低減させることができ、よってＶＣＭ８の作動時に発生する振動や音振動を小さく抑えることができる。
【００４２】
また、上記構成のトップカバー１によれば、弾性体１２が、開口部を設けていないトップカバー１の外面側に配置されてトップカバー１によって筐体内部空間と隔離される構造であるために、上記した弾性体アウトガスの問題が生じるのを未然に防止することができる。また、アウトガスの問題を考慮することなく弾性体１２の材質を選択することができることから、弾性体１２材質の選択幅を拡げることができる。
【００４３】
尚、上記第一実施例に係るトップカバー（図２の形状）および第四実施例に係るトップカバー（図９の形状）による騒音発生状況を比較例とともに試験したところ、図１０のグラフ図に示す結果を得た。比較例は図１１に示した従来例に係るトップカバー（図１１の従来形状）であり、これらの実施例および比較例に係るトップカバーをそれぞれ、カバーＶＣＭ付近（カバーにおけるＶＣＭの上方部位であって、実施例に係るカバーについてはプレート状制振部材が配置されている部位）で音圧測定した。
【００４４】
音圧レベル（ｄＢ）の測定結果は、図１０に示すとおり第一実施例に係るトップカバー（図２の形状）および第四実施例に係るトップカバー（図９の形状）ともＶＣＭ付近における音圧レベルの低下が著しく、よって本発明による制振効果を充分に確認することができた。
【００４５】
【発明の効果】
本発明は、以下の効果を奏する。
【００４６】
すなわち、上記構成を備えた本発明の請求項１によるトップカバーにおいては、トップカバーにおけるＶＣＭダンパーの外方部位にプレート状制振部材が配置されるとともにこのプレート状制振部材が弾性体を介してトップカバーに連結されているために、このプレート状制振部材および弾性体が発揮する制振作用、すなわちダイナミックダンパーの共振作動による制振作用や弾性体のせん断変形による制振作用等によってＶＣＭからの振動を有効に低減させることができる。したがって、ＶＣＭ作動時に発生する音振動が小さく、静粛性に優れた高品質のトップカバー製品を提供することができる。
【００４７】
また、上記構成を備えた本発明の請求項２によるトップカバーにおいては、トップカバーにおけるＶＣＭダンパー外方部位に開口部が設けられ、この開口部を平面上塞ぐようにプレート状制振部材が配置されるとともにこのプレート状制振部材が開口部の周りで弾性体を介してトップカバーに連結されているために、このプレート状制振部材および弾性体が発揮する制振作用、すなわちダイナミックダンパーの共振作動による制振作用や弾性体のせん断変形による制振作用やトップカバーの平面上の一部を別体にしたことによる振動絶縁作用等によってＶＣＭからの振動を有効に低減させることができる。したがって、ＶＣＭ作動時に発生する音振動が小さく、静粛性に優れた高品質のトップカバー製品を提供することができる。
【００４８】
また、上記構成を備えた本発明の請求項３によるトップカバーにおいては、トップカバーにおけるＶＣＭダンパー外方部位の外面側にプレート状制振部材が配置されるとともにこのプレート状制振部材が弾性体を介してトップカバーに連結されているために、プレート状制振部材および弾性体が発揮する制振作用、すなわちダイナミックダンパーの共振作動による制振作用等によってＶＣＭからの振動を有効に低減させることができる。したがって、ＶＣＭ作動時に発生する音振動が小さく、静粛性に優れた高品質のトップカバー製品を提供することができる。
【００４９】
また、この本発明の請求項３によるトップカバーにおいては併せて、弾性体がトップカバーの外面側に配置されてトップカバーにより筐体内部空間と隔離されるために、弾性体アウトガスの問題が生じるのを未然に防止することができ、よって弾性体材料の選択幅を拡げることができる。
【図面の簡単な説明】
【図１】本発明の第一実施例に係るトップカバーの平面図
【図２】図１におけるＡ−Ａ線拡大断面図
【図３】同トップカバーと組み合わされるベースプレートの平面図
【図４】本発明の第二実施例に係るトップカバーの平面図
【図５】図４におけるＢ−Ｂ線拡大断面図
【図６】本発明の第三実施例に係るトップカバーの平面図
【図７】図６におけるＣ−Ｃ線拡大断面図
【図８】本発明の第四実施例に係るトップカバーの平面図
【図９】図８におけるＤ−Ｄ線拡大断面図
【図１０】比較試験の結果を示すグラフ図
【図１１】従来例に係るトップカバーの要部断面図
【符号の説明】
１  トップカバー
２  ベースプレート
３  凹凸加工
４  差込み孔
５  磁気ディスク
６  アーム
７  磁気ヘッド
８  ＶＣＭ（ボイスコイルモータ）
９  ＶＣＭダンパー
１０  開口部
１０ａ  周縁部
１１  プレート状制振部材
１１ａ  オーバーラップ部
１２  弾性体
１３  ダイナミックダンパー
１４  各ネジ挿通孔
１５  ネジ
１５ａ  頭部
１５ｂ  雄ねじ部
１６  凹部
【図１】
2004178677.tif 000003
【図２】
2004178677.tif 000004
【図３】
2004178677.tif 000005
【図４】
2004178677.tif 000006
【図５】
2004178677.tif 000007
【図６】
2004178677.tif 000008
【図７】
2004178677.tif 000009
【図８】
2004178677.tif 000010
【図９】
2004178677.tif 000011
【図１０】
2004178677.tif 000012
【図１１】
2004178677.tif 000013